(57)【要約】【課題】見る方向が限定されず、特定パターンが浮き上がって見える表示プレートを提供すること。【解決手段】透明なシート部材と、前記シート部材の表面に凸レンズ状となる複数の集光素を方向性を持たせて配列することで当該シート部材の表面に形成される集光素パターンと、前記シート部材の裏面に着色された複数の画素を前記集光素パターンと同じ方向性を持たせて配列することで当該シート部材の裏面に形成される画素パターンと、を有し、前記集光素の配列ピッチが前記画素の配列ピッチよりも大きくなるように、前記集光素パターン及び前記画素パターンが形成された立体表示体を備え、前記立体表示体の表面に、インキ層からなる特定パターンが印刷されることを特徴とする。【選択図】図１
2012073492.tif 000002
【特許請求の範囲】
【請求項１】
透明なシート部材と、前記シート部材の表面に凸レンズ状となる複数の集光素を方向性を持たせて配列することで当該シート部材の表面に形成される集光素パターンと、前記シート部材の裏面に着色された複数の画素を前記集光素パターンと同じ方向性を持たせて配列することで当該シート部材の裏面に形成される画素パターンと、を有し、前記集光素の配列ピッチが前記画素の配列ピッチよりも大きくなるように、前記集光素パターン及び前記画素パターンが形成された立体表示体を備え、
前記立体表示体の表面側に、インキ層からなる特定パターンが印刷されることを特徴とする表示プレート。
【請求項２】
前記立体表示体の裏面側に、フィルム層が積層されることを特徴とする請求項１に記載の表示プレート。
【請求項３】
前記立体表示体の裏面側に、インキ層が積層されることを特徴とする請求項１又は２に記載の表示プレート。
【請求項４】
前記立体表示体の裏面側に、フィルム層及びインキ層が積層されることを特徴とする請求項１〜３の何れか一項に記載の表示プレート。
【請求項５】
前記立体表示体の裏面側に積層されるフィルム層又はインキ層のうち少なくとも一層は、意匠パターンを有することを特徴とする請求項１〜４の何れか一項に記載の表示プレート。
【請求項６】
前記立体表示体の裏面側に積層されるインキ層は、真珠光沢顔料と樹脂と溶剤とからなるインキにより形成されることを特徴する請求項３〜５の何れか一項に記載の表示プレート。
【請求項７】
前記立体表示体の裏面側に積層されるインキ層は、金属調粉末と樹脂と溶剤とからなるインキにより形成されることを特徴する請求項３〜６の何れか一項に記載の表示プレート。
【請求項８】
前記立体表示体の裏面側に、干渉フィルム及びインキ層が順に積層されることを特徴とする請求項１〜７の何れか一項に記載の表示プレート。
【発明の詳細な説明】
【技術分野】
【０００１】
本発明は立体表示体の表裏に印刷やフィルム貼合を施し、微細な画素の拡大像が立体表示体の下方に現出して見えることで、特定パターンが浮き上がって見える表示プレートに関する。
【背景技術】
【０００２】
従来より、炊飯器や冷蔵庫などの家電製品には、製造会社を示す表示プレート（銘板）が付けられている。銘板は、プラスチック基材への印刷や金属を加工することによって作られているものが多いが、材料や加工方法に工夫が少なく見た目が似通っており、そのために他の製造会社との間での差別化が図りにくいといった問題点がある。そこで、様々な銘板や表示プレートが提案されている（特許文献１〜３参照）。
【０００３】
また、蒲鉾状レンズが並んでいるレンチキュラーレンズを用い、銘柄等特定パターンを浮き上がらせて視覚的に刺激し興味を引く方法がある（特許文献４参照）。
【先行技術文献】
【特許文献】
【０００４】
【特許文献１】特開２００６−３３００１５号公報
【特許文献２】特開２００６−２４３４２１号公報
【特許文献３】特開２００１−２６５２２９号公報
【特許文献４】特開２０００−２２１８９０号公報
【発明の概要】
【発明が解決しようとする課題】
【０００５】
しかしながら、観察位置が左右に動くと逆視現象が生じることから、視覚効果の見える方向が限定されるという問題があった。
本発明の課題は、見る方向が限定されず、特定パターンが浮き上がって見える表示プレートを提供することにある。
【課題を解決するための手段】
【０００６】
本発明に係る表示プレートは、透明なシート部材と、前記シート部材の表面に凸レンズ状となる複数の集光素を方向性を持たせて配列することで当該シート部材の表面に形成される集光素パターンと、前記シート部材の裏面に着色された複数の画素を前記集光素パターンと同じ方向性を持たせて配列することで当該シート部材の裏面に形成される画素パターンと、を有し、前記集光素の配列ピッチが前記画素の配列ピッチよりも大きくなるように、前記集光素パターン及び前記画素パターンが形成された立体表示体を備え、前記立体表示体の表面側に、インキ層からなる特定パターンが印刷されることを特徴とする。
【０００７】
また、前記立体表示体の裏面側に、フィルム層が積層されることを特徴とする。
また、前記立体表示体の裏面側に、インキ層が積層されることを特徴とする。
また、前記立体表示体の裏面側に、フィルム層及びインキ層が積層されることを特徴とする。
また、前記立体表示体の裏面側に積層されるフィルム層又はインキ層のうち少なくとも一方は、意匠パターンを有することを特徴とする。
【０００８】
また、前記立体表示体の裏面側に積層されるインキ層は、真珠光沢顔料と樹脂と溶剤とからなるインキにより形成される。
また、前記立体表示体の裏面側に積層されるインキ層は、金属調粉末と樹脂と溶剤とからなるインキにより形成されることを特徴する。
また、前記立体表示体の裏面側に、干渉フィルム及びインキ層が順に積層されることを特徴とする。
【発明の効果】
【０００９】
本発明にあたっては、先ず各画素の拡大像が立体表示体の下方に現出して見えることで、立体表示体表面に形成されている特定パターンが浮き上がって見える。
また、立体表示体を構成するシート部材が透明であることから、裏面に付与するインキ層やフィルム層の質感や意匠を活かした背景を持つ表示プレートを得ることができる。また、透明のインキやフィルムを組み合わせることで、２種以上の素材の質感を同時に活かすことができる。
【００１０】
また、立体表示体の裏面側の意匠パターンが、原寸大で、且つ表面の特定パターンより立体表示体を構成するシート部材の厚さ分だけ下方にあるように見え、新たな層を付与することができる。特にシート部材の厚みが大きいときに高い効果を持つ。
また、立体表示体の裏側のインキ層で、真珠光沢顔料と樹脂と溶剤とからなるインキを使用することで、真珠光沢感を付与でき、特に真珠光沢インキ層の下地の明度が大きいときは見る角度によって色彩変化を生じ、高い意匠を付与できる。
【００１１】
また、立体表示体の裏側のインキ層で、金属調粉末と樹脂と溶剤とからなるインキを使用することで、金属調粉末のキラキラ感により際立った高級感を付与できる。
また、立体表示体の裏側に干渉フィルムを積層することで、金属調の光沢を付与したり、見る角度によって色彩変化を生じさせたりすることができ、表示プレートに高級感を与えることができる。さらに下地のインキ層の色を変えることで、その色調を変化させることができる。
【図面の簡単な説明】
【００１２】
【図１】第１実施形態の概略構成を示す断面図である。
【図２】集光素パターンの配列の一例を示す図である。
【図３】集光素パターンの配列の一例を示す図である。
【図４】集光素パターンの配列の一例を示す図である。
【図５】第２実施形態の概略構成を示す断面図である。
【図６】第３実施形態の概略構成を示す断面図である。
【図７】第４実施形態の概略構成を示す断面図である。
【図８】第５実施形態の概略構成を示す断面図である。
【図９】第６実施形態の概略構成を示す断面図である。
【図１０】第７実施形態の概略構成を示す断面図である。
【図１１】第８実施形態の概略構成を示す断面図である。
【発明を実施するための形態】
【００１３】
以下、本発明の実施形態を図面に基づいて説明する。
《第１実施形態》
図１は、第１実施形態の概略構成を示す断面図である。
図1に示すように表示プレートは、透明シート部材１１の表面に、無着色乃至着色の透
明インキを用いて、複数の凸レンズ状の集光素１２を印刷して、集光素パターン１３が形成されるとともに、透明シート部材１１の裏面に、着色された透明又は不透明インキを用いて画素１４を印刷して、画素パターン１５が形成されて成る立体表示体１０の表面に、特定パターン１８が印刷されたものである。
【００１４】
透明シート部材１１は裏面の画素パターン１５を視認できる透明なものを選択する。透明な材質であればよく、例えばアクリルやポリカーボネート、ガラス等を用いることができる。
また透明シート部材１１の厚さは集光素１２の焦点距離と同じ長さである必要があり、集光素１２の焦点距離に応じて５〜５０００μｍである。
【００１５】
前記集光素パターン１３は、立体表示体１０の表面に複数の凸レンズ状の集光素１２を方向性を持たせて配列して形成される。
各集光素１２の配列は図２〜４に示すような配列が例に挙げられる。図２は、集光素１２を縦横に同じピッチで格子状に配列したものであり、図３は図２に示す配列を４５度回転させた配列、すなわち市松模様状に配列したものであり、図４はハニカム模様状に配列したものである。
【００１６】
画素パターン１５は、立体表示体１０の裏面に複数の画素１４を、前記集光素パターン１３と同じ方向性を持たせて配列して形成される。
本発明では集光素１２の配列ピッチは画素１４の配列ピッチよりも大きい必要がある。集光素１２のピッチが画素１４のピッチより大きいとき、観察者は各画素１５の拡大像が立体表示体１０の下方に現出して見えることで、特定パターン１８は浮き上がって見える。逆に集光素１２のピッチが画素１４のピッチより小さい時、観察者は各画素１５の拡大像が立体表示体１０より飛び出して見えるため、特定パターン１８が浮き出て見えなくなってしまう。
【００１７】
集光素１２の配列ピッチは、１０〜２５００μｍの範囲内で選択される。
集光素１２の大きさは、集光素１２の配列ピッチ以下であれば良く、特に配列ピッチと同じであることが望ましい。見た目の意匠から特に１００〜１０００μｍが好ましく、１００μｍ以下では立体感に乏しく、１０００μｍ以上ではレンズが大きいため、表示プレートとしての品質が劣る。
【００１８】
集光素１２の高さ、すなわち凸レンズの底面から頂点までの高さは、集光素１２の焦点距離が透明シート部材１１の厚さと同じとなるように形成されれば良く、２〜１０００μｍである。
画素１４の大きさは集光素１２の大きさよりも小さければよく、形状は特に限定されず、例えば三角形、四角形等の多角形、円形、星形、ハート形、文字形等が挙げられる。
集光素パターン１３は印刷や成形等により形成することができる。印刷法では溶剤型インキやＵＶインキを用いて、その表面張力により凸レンズ状となる。透明シート部材１１と集光素１２が同一の材質であるときは、成形によって、形成することができる。
【００１９】
画素パターン１５は着色された溶剤型インキやＵＶインキ等を用いて、作製したい大きさ・精度に応じてスクリーン印刷乃至オフセット印刷等で形成すると良い。
特定パターン１８は立体表示体１０の表面に形成される。インキはプロセスインキの他に金・銀インキや蓄光インキ等、目的の意匠に合わせて使用し、スクリーン印刷やパッド印刷等で１層以上塗工される。
【００２０】
《第２実施形態》
図５は、第２実施形態の概略構成を示す断面図である。
本形態の表示プレートは第１の実施形態の表示プレートの裏面に意匠を持つフィルム２０を積層したものである。
集光パターン１３及び透明シート部材１１は透明であるため、観察者にとって表示プレートの背景はフィルム２０になる。フィルム２０の色や質感が反映されることより、フィルム２０はカラーフィルムや金属蒸着フィルムなどが使用でき、透明性の高いホログラム
のフィルムを足すなど２枚以上貼合しても良い。
【００２１】
《第３実施形態》
図６は、第３実施形態の概略構成を示す断面図である。
本形態の表示プレートは第１の実施形態の表示プレートの裏面に透明乃至不透明のインキ層３０を付与したものである。
インキ層３０は表示プレートの背景の役割を果たし、蛍光インキやミラーインキなど背景のイメージに合った希望の質感のインキを選ぶと良い。とりわけ透明のインキの場合は、立体表示体１０の表面に塗工する方が、裏面に塗工するよりもインキの質感が活きるが、集光素１２の凹凸が埋められるため、レンズ効果が減少あるいは消滅する可能性あるため、本形態のようにインキ層３０は裏面に付与する方が良い。インキ層３０は２層以上塗工しても良い。
【００２２】
《第４実施形態》
図７は、第４実施形態の概略構成を示す断面図である。
本形態の表示プレートは第１の実施形態の表示プレートの裏面に透明のインキ層３０を付与し、さらに意匠を持つフィルム２０を積層したものである。
インキ層３０が透明であるため、インキ層３０とフィルム２０の両方の質感を表示プレートの背景に付与することができる。インキ層は２層以上、フィルムも２枚以上貼合しても良い。
【００２３】
《第５実施形態》
図８は、第５実施形態の概略構成を示す断面図である。
本形態の表示プレートは第１の実施形態の表示プレートの裏面に積層するインキ層３０あるいはフィルム２０で、少なくとも１つが意匠を施すパターン４０を持つものである。観察者は意匠を施すパターン４０が、表面の特定パターン１８より透明シート部材１１の基材の厚さ分下方にあるように見え、さらに各画素の拡大像が下方に見える。特に透明シート部材１１の厚みが２ｍｍ以上のときに立体的な意匠の価値が高い。
パターンは特に限定されず、例えばドット柄、ハニカム柄、ヘアライン柄、文字等が挙げられる。
【００２４】
《第６実施形態》
図９は、第６実施形態の概略構成を示す断面図である。
本形態の表示プレートは第３の実施形態のインキ層３０で、少なくとも一層が真珠光沢顔料と樹脂と溶剤からなる真珠光沢インキ層５０であるものである。
真珠光沢インキは、その特有の色調や柔らかい光沢を持つことから高級感を付与することができる。また見る角度によって色調を変化させる意匠を付与することも可能である。真珠光沢インキは顔料として、基材がマイカで被覆材が二酸化チタンであるものの他に、基材がシリカやアルミナ、被覆材がシリカや酸化第二鉄であるものなど多くのものが使用できる。
【００２５】
《第７実施形態》
図１０は、第７実施形態の概略構成を示す断面図である。
本形態の表示プレートは第３の実施形態のインキ層で、少なくとも一層が金属調粉末と樹脂と溶剤からなる金属調粉末分散インキ層６０であるものである。
金属調粉末は金属調の光沢感があり、真珠光沢顔料と比較して粒径が大きいものが多いことからも、存在感が大きく、高級感のある意匠の一つとして広く用いられている。金属調粉末はアルミニウムをＰＥＴに蒸着して断裁したもの（ラメ）の他に積層ＰＥＴフィルム（干渉フィルム）を断裁したもの等を用いることができる。これらは２種類以上混合して用いても良いし、真珠光沢顔料と組み合わせても良い。
【００２６】
《第８実施形態》
図１１は、第８実施形態の概略構成を示す断面図である。
本形態の表示プレートは第１の実施形態の表示プレートの裏面に干渉フィルム７０を積層し、さらに透明乃至不透明のインキ層３０を付与したものである。
干渉フィルムは金属調の光沢を持つものや、角度によって色が変化するものがあることから、表示プレートに高級感を与え、観察者の興味を惹きつけることができる。干渉フィルムはＰＥＴの積層フィルム等を用いることができ、同じフィルムでもインキ層３０の色によって、その色調を変化させることができる。
【００２７】
以下に、本発明の実施例を説明するが、本発明はこれらの実施例に限定されるものではない。
【実施例１】
【００２８】
図７で示した本発明の表示プレートの第４実施形態の構成を用いた場合の具体的な実施例を以下で説明する。すなわち、立体表示体１０の表面に、特定パターン１８が印刷されており、裏面に、透明インキ層３０、意匠フィルム２０が順に積層されている表示プレートを作製する。
先ず、立体表示体１０の作製であるが、透明シート部材１１は１ｍｍ厚のポリカーボネートシート（商品名  パンライトシート  ＰＣ−１１５１；帝人化成株式会社）を用いる。
【００２９】
そして、透明シート部材１１の片面に、画素パターン１５をスクリーン印刷により形成する。インキはスクリーン印刷用インキ（商品名  ＶＧ遅乾コンク９１１；帝国インキ株式会社）を用いて３５０メッシュのリーフ形パターン版にて膜厚約１．３μｍになるよう印刷を施す。画素１つのリーフ形の大きさは縦１６０μｍ、横４９０μｍであり、市松模様状にピッチ４００μｍで配列する。
【００３０】
また、透明シート部材１１の反対面に、集光素パターン１３をスクリーン印刷により形成する。インキはスクリーン印刷用ＵＶインキ（商品名  ＵＶ−５４１０−７；株式会社セイコーアドバンス）を用いて３５０メッシュのドットパターン版にて、集光素の高さが８μｍとなるよう印刷を施す。集光素のレンズ径は３６０μｍで、画素と同じ配向性である市松模様状にピッチ４１０μｍで配列する。
また、完成した立体表示体１０表面に、スクリーン印刷により特定パターン層１８を形成する。インキはスクリーン印刷用インキ（商品名  ＥＧ−９１１墨；帝国インキ株式会社）を用い、３００メッシュの文字パターン版にて膜厚約４μｍになるよう印刷を施す。
【００３１】
次に、立体表示体１０の裏面にスクリーン印刷により透明インキ層３０を形成する。透明インキ層３０にはスクリーン印刷用インキ（商品名  ＣＡＶ透明２０８プロセスイエロー；株式会社セイコーアドバンス）を用いて、３００メッシュのベタ版にて膜厚約４μｍになるよう印刷を施す。このインキは、膜厚４μｍで全光線透過率が約５５％であるため、次に積層する意匠フィルムの質感を活かすことができる。
さらに、意匠フィルム２０としてホログラムフィルム（商品名  アルグラスＨＸＦ３１０；株式会社トッパン  プロスプリント）を粘着剤（商品名  ＯＰＴＥＲＩＡ  ＭＯ−３００５Ｃ；リンテック株式会社）を用い、ラミネーター（装置名：ＶＡ−９００；大成ラミネーター株式会社）で貼り合わせる。
【００３２】
この表示プレートを観察すると、リーフ形の各画素１２の拡大像が立体表示体１０の約１０ｍｍ下方に見え、それにより表面の文字形の特定パターン１８が約１０ｍｍ浮き上がって見える表示プレートを作製できた。各画素１２の拡大像のサイズは縦２．６ｍｍ、横
７．８ｍｍと約１６倍の大きさであった。
また表示プレートの背景としては黄色いホログラム調であり、透明インキ層の黄色とフィルムのホログラムの両者の質感を活かすことができた。
【符号の説明】
【００３３】
１０    立体表示体
１１    透明シート部材
１２    集光素
１３    集光素パターン
１４    画素
１５    画素パターン
１８    特定パターン
２０    フィルム
３０    インキ層
４０    パターン層
５０    真珠光沢インキ層
６０    金属調粉末分散インキ
７０    干渉フィルム
【図１】
2012073492.tif 000003
【図２】
2012073492.tif 000004
【図３】
2012073492.tif 000005
【図４】
2012073492.tif 000006
【図５】
2012073492.tif 000007
【図６】
2012073492.tif 000008
【図７】
2012073492.tif 000009
【図８】
2012073492.tif 000010
【図９】
2012073492.tif 000011
【図１０】
2012073492.tif 000012
【図１１】
2012073492.tif 000013